(57)【特許請求の範囲】
【請求項１】
使用者にマッサージを施すように動作するマッサージ部を備えた背もたれ部基体がカバー体によって覆われた椅子型マッサージ機のカバー構造において、
前記カバー体は、前記マッサージ部とともに前記背もたれ部基体を覆うように前記背もたれ部基体に固定的に取り付けられた内部カバーに、当該内部カバーが外部に露出しないように覆うことができる外部カバーを前記内部カバーに着脱自在に取り付けて構成され、
前記背もたれ部は、背もたれ部のうち使用者が接する面に取り付けられる背パッドを有し、
前記背パッドを前記外部カバーの上から前記内部カバーに着脱自在に取り付けるために、前記外部カバーには取付開口が形成され、当該取付開口によって露出する内部カバーに対して背パッドを取付可能とされていることを特徴とする椅子型マッサージ機のカバー構造。
【請求項２】
前記背パッドは、前記内部カバーを覆っており、
当該背パッドが当該内部カバーを覆う範囲には、前記外部カバーが非形成とされていることを特徴とする請求項１記載の椅子型マッサージ機のカバー構造。
【発明の詳細な説明】
【０００１】
【発明の属する技術分野】
本発明は、椅子型等のマッサージ機の外部表面を覆っているカバーの構造に関するものである。
【０００２】
【従来の技術】
従来の椅子型マッサージ機としては、背もたれ部、座部そして脚載部を有したものが知られている。
従来の背もたれ部は、モータ等で駆動されて使用者にマッサージを施すように動作するマッサージ部を含むマッサージ機構に、背もたれを形作るためのフレームとしてブロー成形体の背もたれ部基体を取り付け、そのブロー成形体をマッサージ部ごと布製のカバー体で覆って構成されている。このカバー体は縫着又はピン止め等で固定的に背もたれ部基体に取り付けられている。
【０００３】
なお、背もたれ部の背面は、マッサージ機構の保護等のため、合成樹脂製の背面カバー体で覆われていることが多い。また、必要に応じて背もたれ部の使用者が接する面に背パッドを着脱自在に設けてたり、さらに使用者の頭部が接する面に枕の役割をする枕体を着脱自在に設けて、背パッドや枕体が汚れたら取り外して洗濯できるようにされている。
また、従来の座部は、座部としてのクッション性を有する座部基体の上に空気の給排気で膨張収縮するエアセルをマッサージ部として設け、このマッサージ部ごと座部基体を布製のカバー体で覆って構成されている。このカバー体は、縫着して座部基体に固定的に取り付けられている。
【０００４】
さらに、従来の脚載部は、脚を載せることができる形状に形成された脚載部基体に、バイブレータやエアセルをマッサージ部として設け、このマッサージ部ごと脚載部基体を布製のカバー体で覆って構成されている。このカバー体は、縫着又はピン止めによって脚載部基体に固定的に取り付けられている。
【０００５】
【発明が解決しようとする課題】
上記のようなカバー体は、マッサージ機の外観上の印象を左右するため、デザイン上非常に重要である。
そして、マッサージ機購入者の色や模様等のデザインの好みは多種多様であるから、そのような消費者の嗜好にあったマッサージ機を提供しようとすれば、消費者が選択可能なカバー体のデザインは多い方が好ましい。
しかし、そのような多様なデザインのマッサージ機を市場に提供することは、従来の技術では非常に困難である。
【０００６】
例えば、多様なデザインのマッサージ機を製造するには、様々なデザインのカバー体を予め用意しておき、製造時にカバーを選択して取り付けるということが考えられる。ところが、このような方策では、消費者からデザインの要求を含む注文を受けてから制作する注文制作方式であればともかく、あらかじめ製品を大量に製造しておいてそれを販売するという一般的な製造販売方式には向かない。つまり、予め多種類のデザインのマッサージ機を製造しておくと、人気のないデザインのマッサージ機の在庫が増大するリスクがある。
【０００７】
また、カバー体をマッサージ機から単に着脱自在にしておいて、販売時又は購入後、カバー体を使用者の好みに応じて取り替えるということも考えられる。しかし、カバー体を取り外すと、背もたれ部等の内部のマッサージ部やその他の機構が露出してしまう。カバー体の取り外しや取り付けを行うのは、販売店の店員や消費者のように機械や電気の知識が十分であるとは限らない者と考えられるが、そのような者に対してマッサージ部等を露出させるのは、マッサージ機の故障等を招く可能性が高く、現実的でない。また、見栄えが良いとは限らないマッサージ部を消費者に露出させるのは、商品イメージを損なうおそれもある。
【０００８】
【課題を解決するための手段】
本発明は、このような問題に鑑みてなされたものであり、マッサージ部を露出させることなく、カバーを変えることができるカバー構造を得るべく、次の技術的手段を採用した。すなわち、本発明の特徴は、使用者にマッサージを施すように動作するマッサージ部を備えた背もたれ部基体がカバー体によって覆われた椅子型マッサージ機のカバー構造において、前記カバー体は、前記マッサージ部とともに前記背もたれ部基体を覆うように前記背もたれ部基体に固定的に取り付けられた内部カバーに、当該内部カバーが外部に露出しないように覆うことができる外部カバーを前記内部カバーに着脱自在に取り付けて構成され、前記背もたれ部は、背もたれ部のうち使用者が接する面に取り付けられる背パッドを有し、前記背パッドを前記外部カバーの上から前記内部カバーに着脱自在に取り付けるために、前記外部カバーには取付開口が形成され、当該取付開口によって露出する内部カバーに対して背パッドを取付可能とされている点にある。
【０００９】
この構成によれば、着脱自在な外部カバーに多種多様なデザインを施しておき、消費者の好みに応じて外部カバーを交換することができる。さらに、外部カバーを取り外しても背もたれ部基体に固定的に取り付けられた内部カバーによってマッサージ部が覆われているので、マッサージ部が露出することを防止できる。また、内部カバーは、外部カバーによってほぼ露出しないように覆われるので、デザイン的に工夫を施す必要性が少なく安価なものを採用できる。外部カバーは布又は革製のものを使用できる。また、背パッドを外部カバーではなく、外部カバーの取付用開口を介して内部カバーに取り付けることができる。背パッドを着脱自在な外部カバーに取り付けてもよいが、その場合、背パッドを取り外すときに外部カバーも取れてしまうおそれがあり、構造は簡単になるが取付強度を十分に確保するのが困難である。一方、背パッドを背もたれ部基体に固定的に取り付けられた内部カバーに取り付けると取付強度を十分に確保できる。
【００１０】
なお、内部カバーを背もたれ部基体に取り付けるには、接着剤、ピン、又はネジ等で簡単には取り外せないようにしておけばよい。また外部カバーを着脱自在に内部カバーに取り付けるには、ファスナー（チャック）、面ファスナー、フック、ボタンのように係脱自在な取付具を用いるのが好ましい。また、「内部カバーが外部に露出しない」とは、内部カバーが外部カバーによって完全に見えないように覆われているものの他、外部カバーの周縁が内部カバーに完全に密着していないために生じる隙間からわずかに内部カバーが見える程度のものや、外部カバーとして透明、半透明のものやメッシュ生地を用いた場合のように内部カバーを覆う外部カバーから内部カバーが透けて見える場合も含む意味である。
【００１１】
そして、前記背パッドは、前記内部カバーを覆っており、当該背パッドが当該内部カバーを覆う範囲には、前記外部カバーが非形成とされているのが好適である。背パッドが設けられる範囲は、外部カバーで内部カバーを覆わなくとも、背パッドで内部カバーの露出を防止することができるので、その範囲の外部カバーを非形成とすることで、コスト低減を図ることができる。
【００１４】
なお、以上のカバー体であれば、販売時に購入者の要求に応じて販売店がカバー体を取り替えたり、購入後にマッサージ機の所有者が別途外部カバー等を購入してカバー体を自分で取り替えるということができる。
【００１５】
【発明の実施の形態】
以下、本発明の実施形態を図面に基づいて説明する。図１は、本発明に係るマッサージ機１として椅子型ものを例示している。このマッサージ機１は、背もたれ部２、座部３、そして脚載部４を備えている。また、座部３の左右両側には肘かけ部５が設けられている。
前記背もたれ部２は、図２及び図３に示すように、モータ等で駆動されて使用者にマッサージを施すように動作する第１マッサージ部７を含むマッサージ機構８に、背もたれを形作るためのフレームとして合成樹脂製のブロー成形体からなる背もたれ部基体９を取り付け、その成形体９をマッサージ部７ごと布製の第１カバー体１０で覆って主構成されている。
【００１６】
第１マッサージ部７は、モミ玉１２，１２，１２，１２をモータにより駆動して揉み又は叩き動作を発生させるものである。前記マッサージ機構８としては、第１マッサージ部を背もたれ部２内部で上下方向に昇降させる昇降機構を含んでおり、この昇降機構は、第１マッサージ部７をモータによって回転駆動されるネジ軸１３と螺合させ、ネジ軸１３の回転により図示しないレールに沿って第１マッサージ部７を昇降させるように構成されている。
背もたれ部基体９は、背もたれ部２を形作るように背もたれ部２の正面（使用者が接する面）２ａと左右及び上部の側面２ｂとなる部分を有している。正面２ａとなる部分は、正面視において逆Ｕ字状に形成されており、中央には開口が形成されている。この開口は、モミ玉１２の動作が使用者に作用するのを妨げないようにするためのものである。
【００１７】
背もたれ部基体９を覆う第１カバー体１０は、図３に示すように、内部カバー１５と外部カバー１６の二重構造である。内部カバー１５は、背もたれ部基体９の全体を包み込んで覆うように袋状に形成され、第１マッサージ部７が背もたれ部正面から露出しないように覆っている。この内部カバー１５は、内部カバー１５の上から背もたれ部基体９にピンを打ち込む等して固定されている。なお、内部カバー１５は薄い布によって形成されている。
内部カバー１５には、外部カバー１６又は後述の背パッド１８が着脱自在に取り付けられる被取付部２０が設けられている。
【００１８】
内部カバー１５と外部カバー１６とは、面ファスナーによって取り付けられ、面ファスナーを構成する一方の部材が外部カバー１６を取り付けるための被取付部２０ａとして内部カバー１５表面の適所に設けられている。具体的には、被取付部２０ａは、背もたれ部の上部の側面となる部分、背もたれ部正面の上部位置、背もたれ部正面の下部位置、背もたれ部の中間位置に配置されている。
また、内部カバー１５と背パッド１８は、ファスナー（チャック）によって取り付けられ、ファスナーを構成する一方の歯が背パッド１８を取り付けるための被取付部２０ｂとして内部カバー１５の上部に設けられている。
【００１９】
なお、背もたれ部２の背面側には、マッサージ機構等の保護のため、合成樹脂製の背面カバー（図示省略）が内部カバー１５の上から取り付けられる。なお、背面カバーによって覆われる範囲については、内部カバー１５を省略してもよい。
外部カバー１６は、内部カバー１５が露出しないように覆うためのものである。また、外部カバー１６は、マッサージ機１の外観の一部をなすため、装飾用カバーでもある。
【００２０】
前記内部カバー１５は、背面の大部分が背面カバーによって、正面の大部分が背パッド１８によっても覆われているので、外部カバー１６の主な役割は、少なくとも、残る背もたれ部側面の範囲を覆って内部カバー１５が外観に影響しないようにすることにある。したがって、外部カバー１６は、背もたれ部の左右と上部の側面の範囲を覆うために逆Ｕ字状に形成され、背パッド１８によって覆われる正面の中央範囲は非形成とされている。この外部カバー１６の正面形状は背もたれ部基体９の正面形状に対応している。なお、背パッド１８を設けない場合には、外部カバー１６は正面範囲も全体的に形成しておく。また、外部カバー１６で背面カバーも覆う場合には、背面範囲も全体的に形成しておく。
【００２１】
この外部カバー１６の裏面（内部カバー１５との対向面）には、内部カバー１５に着脱自在に取り付けるための取付部２１が設けられている。この取付部２１は、面ファスナーを構成する他方の部材が設けられており、内部カバー１５の面ファスナー（被取付部）２０ａに貼り付けて接合されるような位置に対応して設けられている。したがって、外部カバー１６を内部カバー１５の上に被せるだけで、面ファスナーによって外部カバー１６を内部カバー１５に取り付けることができる。
【００２２】
また、外部カバー１６の上部には、枕部２２が取り付けられる被取付部２３として、面ファスナーを構成する一方の部材が設けられている。
背パッド１８は、背もたれ部２の正面を覆うものであり、背パッド１８上部裏面には、内部カバー１５の被取付部２０ｂに取り付けられる取付部２５が設けられている。外部カバー１６の上部には、内部カバー１５の被取付部２０ｂを覆ってしまわないように取付開口２７が形成されており、この開口が形成されているため、外部カバー１６を内部カバー１５の上から被せても被取付部２０ｂは露出している。背パッド１８の取付部２３は、この露出した被取付部２０ｂに取り付けられる。なお、背パッド１８の取付部２５は、ファスナーを構成する他方の歯であり、被取付部２０と取付部２５のいずれかに取り付けられたすべり金具をスライドさせて双方の歯を係合させる。
【００２３】
枕部２２の上部裏面には、面ファスナを構成する他方の部材が設けられており、これが外部カバー１６の被取付部２３に着脱自在に取り付けるための取付部２９である。なお、外部カバー１６の被取付部２３は、取付開口２７より上方（背面）よりに設けられているので、背パッド１８を取り付けた上からさらに枕部２２を取り付けることができる。
図４は、内部カバー１５，外部カバー１６，背パッド１８，枕部２２を全て取り付けた完成状態を示している。図示のように、内部カバー１５は外部から見えないようになっている。特に、背もたれ部２の側面が着脱自在な外部カバー１６によって覆われている点は注目すべき点である。
【００２４】
前記座部３は、図５及び図６に示すように、座部３を形作るとともに座部のクッションとなるためのウレタンフォーム製の座部基体３９に第２マッサージ部３７が設けられ、座部基体３９を第２マッサージ部２７ごと第２カバー体４０で覆って構成されている。
第２マッサージ３７は、座部基体３９の上面に配置されており、空気の給排気で膨張収縮し、その膨張収縮動作で使用者（のお尻又は太もも）にマッサージを施すエアセルにより構成されている。また、エアセル３７は、２つ設けられており、各エアセルからは、ポンプに繋がる空気供給管４３が延設されている。この空気供給管４３は、座部基体３９を貫通して座部基体３９の下方から延びている。
【００２５】
座部基体３９を覆う第２カバー体４０も、内部カバー４５と外部カバー４６の２重構造である。内部カバー４５は、座部基体３９全体を包み込んで覆うように袋状に形成され、第２マッサージ部３７が露出しないように覆っている。なお、空気供給管４３は、内部カバー４５を貫通している。
この内部カバー４５は、座部基体３９を包み込んで座部基体３９を取り出せないように縫着することによって、座部基体３９と固定されている。なお、内部カバー４５は、薄い布によって形成されている。
【００２６】
図６（ｂ）に示すように、内部カバー４５には、外部カバー４６が着脱自在に取り付けられる被取付部５０が適所に設けられている。この被取付部５０は、面ファスナーを構成する一方の部材であり、座部３の下面となる面（エアセル３７の配置されている面とは反対の面）の前後左右位置にそれぞれ取り付けられている。
外部カバー４６は、内部カバー４５が露出しないように覆うためのものである。また、外部カバー４６は、マッサージ機１の外観の一部をなすため、装飾用カバーでもある。
【００２７】
座部３は、椅子型マッサージ機１の座フレーム（図示省略）に載せられるので、座部の下は外部から見えない。したがって、内部カバー４５の座部下面範囲は見えない。このため、外部カバー４６は、少なくとも外部から見える座部３の上面や側面を覆えばよい。
このため、外部カバー４６は、座部３の上面や側面の範囲を覆う部分を有し、図６（ｃ）に示すように、その下面４６ａには開口５２が形成され、この開口５２から内部カバー４５で覆われた座部基体３９の上から外部カバー４６を被せることができる。
【００２８】
外部カバー４６には、内部カバー４５の被取付部５０に取り付けるための取付部５１が設けられている。この取付部５１は面ファスナーを構成する他方の部材よりなり、被取付部５０に貼り付けて接合できるように被取付部５０に対応して設けられている。具体的には、外部カバー４６の下面の裏面（内部カバー４５と対向する内側の面）や下面の開口５２縁部から突出して設けられている。
なお、外部カバー４６の開口５２縁部には、開口５２を広げやすくするための切欠き５３と空気供給管４３を通すための切欠き５４が形成されている。
【００２９】
図７は、座部基体３９に内部カバー４５及び外部カバー４６を取り付けた完成状態を示している。図示ように、外部から見える座部上面はすべて外部カバー４６によって覆われ内部カバー４５は見えない。
前記脚載部４は、左右の脚をそれぞれ入れることができる左右一対の溝５８，５８を有する形状に形作るためのフレームとして合成樹脂製のブロー成形体からなる脚載部基体（図示省略）に第３マッサージ部５７が設けられ、脚載部基体を第３マッサージ部５７ごと第３カバー体６０で覆って構成されている。なお、左右の溝５８，５８に対してそれぞれカバー体６０を装着できるように、左右の溝５８，５８を区切る２つの側壁５９間は隙間が確保されている。
【００３０】
第３マッサージ部５７は、溝５８の左右側壁面や底面に配置されており、空気の供排気で膨張収縮し、その膨張収縮動作で使用者の脚にマッサージを施すエアセルにより構成されている。これらのエアセル５７は、座部３のエアセル３７と同様に空気供給管によりポンプと接続されている。
図８に示すように、脚載部基体を覆う第３カバー体６０も、内部カバー６５と外部カバー６６の２重構造である。内部カバー６５は、脚載部基体の底面を除く全体を上方から包み込んで覆って、第３マッサージ部５７，５７が露出しないようになっている。この内部カバー６５は、内部カバー６５の上から脚載部基体にピンを打ち込む等して固定されている。なお、内部カバー６５は薄い布によって形成されている。
【００３１】
内部カバー６５の下部周縁には、外部カバー６６が着脱自在に取り付けられるための被取付部７０が設けられている。この被取付部７０は、ファスナーを構成する一方の歯である。
外部カバー６６，６６は内部カバー６５が露出しないように上から覆うためのものである。また、外部カバー６６は、マッサージ機１の外観の一部をなすため、装飾用カバーでもある。
外部カバー６６の下部周縁には、内部カバー６５の被取付部７０に取り付けるための取付部７１として、ファスナーを構成する他方の歯が設けられ、被取付部７０又は取付部７１のいずれかに設けられたすべり金具をスライドさせて双方の歯を係合させる。
【００３２】
この脚載部４は、図９に示すように椅子型マッサージ機１の座部３の前側に横軸３ａ回りに回動自在に設けられた脚載フレーム７２の上に前後方向にスライド自在に設けられいる。なお、脚載フレーム７２は、空気の給排気で膨張収縮するエアセルによって図１や図９に示すように昇降自在とされている。
図９に示すように、スライド自在な脚載部４を前方にスライドさせた場合、脚載部４と座部３との間に隙間があいてしまう。この隙間から脚載フレーム７２等が見えて外観上好ましくない場合があるので、この隙間を覆うためのスライドカバー８０が設けられている。
【００３３】
スライドカバー８０は、座部３と脚載部４に着脱自在に取り付けられている。座部３の外部カバー４６の下面４６ａ前部には、スライドカバー８０が取り付けられるための被取付部８１が設けられている。この被取付部８１は、面ファスナーを構成する一方の部材である。スライドカバー８０の後部には、被取付部８１に取り付けるための取付部８２として面ファスナーを構成する他方の部材が設けられ、この取付部８２を被取付部８１に貼り付けることによってスライドカバー８０が座部３に着脱自在に取り付けられる。
【００３４】
また、脚載部４の外部カバー６６の後部にはスライドカバー８０が取り付けられるための被取付部８３が設けられている。この被取付部８３はファスナーを構成する一方の歯である。スライドカバー８０の前部には、被取付部８３に取り付けるための取付部８４としてファスナを構成する他方の歯が設けられ、被取付部８３又は取付部８４のいずれかに設けられたすべり金具をスライドさせて双方の歯を係合させて、スライドカバー８０を脚載部４に着脱自在に取り付けることができる。
【００３５】
以上の背もたれ部２の外部カバー１６、背パッド１８、枕部２２、座部３の外部カバー４６、脚載部４の外部カバー６６、そしてスライドカバー８０は、デザイン上の統一を図っておくのが好ましい。また、他の色や模様に変えたい場合には、これらを交換することで簡単に行える。
図１及び図１０に示すように、前記肘かけ部５には、各マッサージ部７，３７，５７、背もたれ部２のリクライニング、脚載部４の昇降等の操作を行うためのリモコン操作部１０１を保持可能なリモコンホルダー１０２が取り付けられている。
【００３６】
また、マッサージ機１は、操作部１０１の本来的な収納部１０３を備えており、本実施形態では、収納部１０３は座部３の側方であって肘かけ部５の下方に操作部１０１を載せ置きできるように形成された凹部として形成されている。このように、マッサージ機１は、操作部１０１を使用しないときに邪魔にならないようにマッサージ機１本体の側部等に不使用時のための収納部１０３を備えているのが従来より一般的である。そして、マッサージ機１を使用するために操作部１０１を操作するときには、収納部１０３から操作部１０１を取り出して手に持って操作するのが従来の操作方法であった。
【００３７】
しかし、このような収納部１０３しかない場合、マッサージ機１の使用中には常に手に操作部１０１を持っておくか、操作をしようとする度に収納部１０３から操作部１０１を取り出す必要があり、使用者にとって煩雑である。
このため、本実施形態では、マッサージ機本体（特に、マッサージ機１の脚１又は脚支持部１ｂ）に不使用時用の収納部１０３を設けると共に、別途、使用者が操作し易い位置にリモコンホルダ１０２を設けて、このホルダ１０２に操作部１０１を保持させた状態で操作部１０１を操作できるようにしている。このため、使用者は、手に操作部１０１を持っておく必要がなく、簡単に操作できる。
【００３８】
ホルダ１０２は、手で操作し易いように、肘かけ部５の上部又は肘かけ部５の上方位置に設けるのが好ましい。また、肘かけ部５の横外方に位置しているのが好ましい。特に、図１０のように肘かけ部５の上方に位置しているのが好ましい。また、ホルダ１０２は、操作部１０１の操作面１０１ａが使用者向き（背もたれ部向き）となるように保持するように構成されていると操作が簡単で好ましい。
操作部１０１は、図１０及び図１１に示すように、ホルダ１０２上方から差し込むことでホルダ１０２に保持できる。なお、操作部１０１の操作面１０１ａには、液晶ディスプレイ等の表示部１０５と、操作スイッチ１０６が設けられており、ホルダ１０２装着状態において表示部１０５を見ること及び操作スイッチ１０６を操作することは可能とされている。すなわち、表示部１０５は、装着状態においてホルダ１０２の上方に位置し、操作スイッチ１０５のホルダの前面開口によって露出状態にある。
【００３９】
このホルダ１０２は、肘かけ部５への取付部１１０と、取付部１１０から延びる支持アーム１０７を有しており、操作部１０１を保持するホルダ本体は、アーム１０７の先端に取り付けられている。支持アームは１０７は屈曲自在であるのが好ましく、この場合、使用者が操作部の向きを自由に調節できる。取付部１１０は、取付ステー１１０ａを肘かけ部５の下面にネジ１０８等で取り付けることによって肘かけ部５に取り付けられる。
ホルダ１０２は、ネジ１０８を取り外せばマッサージ機１から取り外すことが可能であるため、マッサージ機１の運搬時等に取り外しておくことでホルダ１０２の破損を防止できる。また、ホルダ１０２をオプションとして別売りすることもできる。
【００４０】
【発明の効果】
本発明によれば、着脱自在な外部カバー体を交換することでマッサージ機の外観を容易に変更できる。さらに、外部カバー体を取り外してもマッサージ機基体に固定的に取り付けられた内部カバー体によってマッサージ部が覆われているので、マッサージ部が露出することを防止できる。
【図面の簡単な説明】
【図１】椅子型マッサージ機の斜視図である。
【図２】背もたれ部基体と第１マッサージ部を示す図である。
【図３】内部カバー、外部カバー、背パッド、そして枕部の分解斜視図である。
【図４】背もたれ部の完成状態図である。
【図５】座部基体と第２マッサージ部の斜視図である。
【図６】（ａ）は座部の外部カバーの上方からみた斜視図、（ｂ）は内部カバーを装着した状態の座部基体を示す斜視図、（ｃ）は座部カバーの下面（裏面）図である。
【図７】座部の完成状態図である。
【図８】内部カバーを取り付けた脚載部基体、外部カバー、そしてスライドカバーの分解斜視図である。
【図９】脚載部の側面図である。
【図１０】リモコンホルダーを含むマッサージ機の側面図である。
【図１１】リモコンホルダーの正面図である。
【図１２】図１０のＡ矢視図であり、モコンホルダーの肘かけ部への取付状態を示す図である。
【符号の説明】
１  椅子型マッサージ機
２  背もたれ部
３  座部
４  脚載部
５  肘かけ部
７  第１マッサージ部
９  背もたれ部基体
１０  第１カバー体
１５  内部カバー
１６  外部カバー
１８  背パッド
２７  取付開口
３７  第２マッサージ部
３９  座部基体
４０  第２カバー体
４５  内部カバー
４６  外部カバー
５７  第３マッサージ部
６０  第３カバー体
６５  内部カバー
６６  外部カバー
８０  スライドカバー
【図１】
0004435440.tif 000002
【図２】
0004435440.tif 000003
【図３】
0004435440.tif 000004
【図４】
0004435440.tif 000005
【図５】
0004435440.tif 000006
【図６】
0004435440.tif 000007
【図７】
0004435440.tif 000008
【図８】
0004435440.tif 000009
【図９】
0004435440.tif 000010
【図１０】
0004435440.tif 000011
【図１１】
0004435440.tif 000012
【図１２】
0004435440.tif 000013